(57)【要約】【課題】袋口結束用テープの表面に鉛筆やボールペン等の簡易な筆記具で必要事項（食品名や収容日時や調理日時等）を記入することができるようにした袋口結束用テープ付きフイルム袋の提供。【解決手段】プラスチックフイルム袋２の外面に袋口結束用テープ３が添着されている袋口結束用テープ付きフイルム袋１であって、袋口結束用テープは、プラスチックフイルムにより形成されたテープ本体３０の裏面３１の一部に感圧性接着剤を塗布した部分接着層３２が形成され、テープ本体の表面３３が鉛筆やボールペン等の筆記具により記入可能に形成されている。【選択図】　　　図３
2004067111.tif 000002
【特許請求の範囲】
【請求項１】
プラスチックフイルム袋の外面に袋口結束用テープが添着されている袋口結束用テープ付きフイルム袋であって、
前記袋口結束用テープは、プラスチックフイルムにより形成されたテープ本体の裏面の一部に感圧性接着剤を塗布した部分接着層が形成され、テープ本体の表面が鉛筆やボールペン等の筆記具により記入可能に形成されていることを特徴とする袋口結束用テープ付きフイルム袋。
【請求項２】
袋体の口部を結束するための袋口結束用テープであって、
プラスチックフイルムにより形成されたテープ本体の裏面の一部に感圧性接着剤を塗布した部分接着層が形成され、テープ本体の表面が鉛筆やボールペン等の筆記具により記入可能に形成されていることを特徴とする袋口結束用テープ。
【発明の詳細な説明】
【０００１】
【発明の属する技術分野】
本発明は、例えば、食品等を収容した袋体の口部を結束するのに使用する袋口結束用テープを予めプラスチック袋の外面に添着させている袋口結束用テープ付きフイルム袋及び袋口結束用テープに関する。
【０００２】
【従来の技術】
家庭や飲食店等において、食品を小分けしたり、調理済み食品を冷蔵保存や冷凍保存する際に、食品を袋体に収容することが一般に行われている。
この場合、袋体の口部を結んだり、輪ゴムや紐等で結束して、袋体を密封することになるが、このような口部を結束するための袋口結束用テープについて、本願出願人において、「簡易離脱着式テープ」として既に提案している（特開平７−３１００５９号公報）。
【０００３】
前記した従来の袋口結束用テープ（簡易離脱着式テープ）は、ゴミ袋の口部結束用であって、テープ本体の裏面の一部に感圧性接着剤を塗布した部分接着層が形成されたものである。
そして、部分接着層によって接着力が弱いため、袋体にあらかじめ接着させておいても剥がす際に袋体が破れたり手に付着することがない上に、袋体の口部に巻き付けるだけで口部を結束することができ、かつ口部から何度でも剥がして結び直すことができるという利点があった。
【０００４】
【発明が解決しようとする課題】
ところで、食品を袋体に収容して冷蔵保存や冷凍保存する場合、その食品名や収容日時や調理日時等を記入することができれば便利である。
これらの記入は、使用者自身（家庭では主婦等、飲食店では調理者等）が筆記具で書くことにより行なわれることになるが、袋体がプラスチックフイルム袋の場合、そのフイルム袋に直接に記入するには、油性インク等の特殊の筆記具を用いる必要があり、鉛筆やボールペン等の簡易な筆記具で記入することができない。
また、従来の袋口結束用テープ（簡易離脱着式テープ）についても、テープ本体がプラスチックフイルムにより形成されているため、その表面に鉛筆やボールペン等の簡易な筆記具で記入することができないという問題を残していた。
【０００５】
本発明は、前記した袋口結束用テープに着目し、この袋口結束用テープの表面に鉛筆やボールペン等の簡易な筆記具で必要事項（食品名や収容日時や調理日時等）を記入することができるようにした袋口結束用テープ付きフイルム袋及び袋口結束用テープを提供することを課題としている。
【０００６】
【課題を解決するための手段】
上記の課題を解決するために、本発明（請求項１）の袋口結束用テープ付きフイルム袋は、フイルム袋の外面に袋口結束用テープが添着されている袋口結束用テープ付きフイルム袋であって、前記袋口結束用テープは、プラスチックフイルムにより形成されたテープ本体の裏面の一部に感圧性接着剤を塗布した部分接着層が形成され、テープ本体の表面が鉛筆やボールペン等の筆記具により記入可能に形成されている構成とした。
【０００７】
また、本発明（請求項２）の袋口結束用テープは、袋体の口部を結束するための袋口結束用テープであって、プラスチックフイルムにより形成されたテープ本体の裏面の一部に感圧性接着剤を塗布した部分接着層が形成され、テープ本体の表面が鉛筆やボールペン等の筆記具により記入可能に形成されている構成とした。
【０００８】
【発明の実施の形態】
以下、本発明の実施の形態を図面に示す実施例により詳述する。
図１は実施例の袋口結束用テープ付きフイルム袋を示す正面図、図２は袋口結束用テープの裏面図、図３は袋口結束用テープの表面図、図４は袋口結束用テープを使用してフイルム袋の口部を縛った状態を示す図である。
【０００９】
本実施例の袋口結束用テープ付きフイルム袋１は、図１に示すように、プラスチックフイルム袋２（以下、フイルム袋という）の外面２０に袋口結束用テープ３が、裏面の部分接着層３２によって添着（接着）されたものである。
【００１０】
前記袋口結束用テープ３は、ポリエチレンフイルム等のプラスチックフイルムにより、フイルム袋２の長さとほぼ同一長さのテープ本体３０が形成され、このテープ本体３０の裏面３１には、図２に示すように、その一部に感圧性接着剤を上端から下端まで帯状に連続して塗布した部分接着層３２が形成されている。この部分接着層３２はテープ本体３０より細幅に形成されている。
【００１１】
又、テープ本体３０の表面３３は、油性インクによる特殊な筆記具は勿論、鉛筆やボールペン等の筆記具により記入可能に形成されている。
そのための手段として、テープ本体３０を、フイルム原料となるポリエチレンに炭酸カルシウムを練り込んで成形したプラスチックフイルムにより形成することにより、テープ本体３０の表面３３を含めた全外面に炭酸カルシウムがブリードした薄膜層を形成している。
このように、炭酸カルシウムがブリードした薄膜層の表面３３は艶消し面になるもので、この艶消し面を利用して鉛筆やボールペン等の簡易な筆記具で記入することができるようにしている。
【００１２】
また、この実施例では、テープ本体３０の表面３３に、図３に示すように、調理日時の記入欄３４及び「調理日」、「このテープでむすんでください。」、「ボールペンで記入してください。」の文字、及び花の絵柄が印刷により表示されている。
なお、前記記入欄３４は、薄膜層を露出したままの状態に残す必要があるため、印刷をしない非印刷面になっている。
【００１３】
なお、テープ本体３０の表面３３を鉛筆やボールペン等の筆記具により記入可能に形成するための他の手段として、テープ本体の表面に、印刷インク（例えば、吸水性のあるシリカ等）を印刷により転写して、薄膜層を形成する方法もある。
この印刷インクの転写による薄膜層についても、表面は艶消し面になるもので、この艶消し面を利用して鉛筆やボールペン等の簡易な筆記具で記入することができるようにしている。
この印刷インクにより薄膜層を形成した場合には、前記記入欄３４は、薄膜層を印刷によって形成する必要があるため、印刷が施された印刷面になっている。この場合、文字や絵柄についても薄膜層と同じ印刷インクで同時印刷している。
【００１４】
本実施例の袋口結束用テープ付きフイルム袋１は、図１に示すように、袋口結束用テープ３が裏面の部分接着層３２によってフイルム袋２の外面２０に添着（接着）されたもので、使用時には袋口結束用テープ３を剥ぎ取り、フイルム袋２の内部に食品（調理済み食品）を収容した状態で、図４に示すようにフイルム袋２の口部２１に袋口結束用テープ３を巻き付けて密封するのに使用する。
【００１５】
この場合、前記袋口結束用テープ３は、テープ本体３０の裏面３１に細幅の部分接着層３２が形成されているので、接着力が強くなく、このためフイルム袋２の外面２０に接着させておいても簡単に剥がして使用することができるし、作業中に手に付着して作業が中断されることもない。また、フイルム袋２の口部２１に巻き付けるだけで口部２１を結束することができるので作業がし易い上に、接着力が強くないので口部２１の結束をし損ねた場合でも何度でも剥がして使用することができる。
特に、本実施例の袋口結束用テープ３は、テープ本体３０の表面３３が鉛筆やボールペン等の筆記具により記入可能に形成され、且つ調理日時の記入欄３４が設けられているため、この記入欄３４に調理日時をボールペン等で記入しておけば、冷蔵保存や冷凍保存する場合、収容した食品の調理日時を確認することができる。
【００１６】
なお、実施例では、テープ本体３０の表面３３に調理日時の記入欄３４を設けた袋口結束用テープ３を示したが、テープ本体３０の表面３３全面が鉛筆やボールペン等の筆記具により記入可能に形成されていれば、必ずしも記入欄３４という区画を設けずに、テープ本体３０の表面３３全面を記入欄として用いてもよい。
また、記入する事項も、調理日時に限らず、食品名、食品の購入日時、食品の収容日時等、使用者において必要事項を記入できるし、記入欄３４についても、食品名、食品の購入日時、食品の収容日時等の記入欄を設けることができる。
【００１７】
また、テープ本体３０の裏面３１に形成する部分接着層３２についても、図５〜図８に示すように断続的に形成したり、図９に示すように連続した波形に形成したり、図１０に示すように上下に各１個づつ形成するようにしてもよく、部分接着層３２の形状、位置、数、間隔等には制限はない。
【００１８】
又、フイルム袋２としては、食品収容袋に限らず、ゴミ袋やその他の収容袋であってもよく、ゴミ袋の場合には、袋口結束用テープ３のテープ本体３０の表面３３に、ゴミの提出者名、提出日時等を記入する記入欄を設けることになる。
【００１９】
次に、図１１は袋口結束用テープを示す斜視図である。
この袋口結束用テープ４は、リング状に巻いて形成され、使用時に必要長さを切断して使用するようにしたものである。なお、４１は中芯、４２はカッターである。
この袋口結束用テープ４は、プラスチックフイルムにより形成されたテープ本体の裏面の一部に感圧性接着剤を塗布した部分接着層が形成され、テープ本体の表面が鉛筆やボールペン等の筆記具により記入可能に形成されている点は、前記した袋口結束用テープ３と同様である。
【００２０】
このように、袋口結束用テープ４は、袋体とは別体の単品に形成されたもので、この場合には、使用対象となる袋体としては、フイルム袋に限らず、紙袋等にも使用できるし、袋体のサイズも問われない。
【００２１】
【発明の効果】
以上説明してきたように、本発明（請求項１）の袋口結束用テープ付きフイルム袋では、袋口結束用テープのテープ本体の裏面に部分接着層を形成しているので、接着力が強くなく、このため袋口結束用テープをフイルム袋の外面に接着させておいても簡単に剥がして使用することができるし、使用中に手に付着することもない。また、フイルム袋の口部に巻き付けるだけでフイルム袋の口部を結束することができるから、作業性が向上する。また、接着力が強くないので口部の結束をし損ねた場合でも何度でも剥がして使用することができる。
特に、テープ本体の表面が鉛筆やボールペン等の筆記具により記入可能に形成されているため、この記入欄に必要事項（例えば、収容した食品の調理日時、調理者名、食品名等）をボールペン等の簡易な筆記具で記入することができ、保存や保管に便利に使用できる。
【００２２】
また、本発明（請求項１）の袋口結束用テープは、袋体とは別体の単品に形成されているので、使用対象となる袋体に制限がなく、袋体の用途、材質、サイズ等を問わず、任意の袋体の口部結束用として使用できる。
【図面の簡単な説明】
【図１】実施例の袋口結束用テープ付きフイルム袋を示す正面図である。
【図２】袋口結束用テープの裏面図である。
【図３】袋口結束用テープの表面図である。
【図４】袋口結束用テープを使用してフイルム袋の口部を縛った状態を示す図である。
【図５】部分接着層の他例を示す袋口結束用テープの裏面図である。
【図６】部分接着層の他例を示す袋口結束用テープの裏面図である。
【図７】部分接着層の他例を示す袋口結束用テープの裏面図である。
【図８】部分接着層の他例を示す袋口結束用テープの裏面図である。
【図９】部分接着層の他例を示す袋口結束用テープの裏面図である。
【図１０】部分接着層の他例を示す袋口結束用テープの裏面図である。
【図１１】袋口結束用テープを示す斜視図である。
【符号の説明】
１　袋口結束用テープ付きフイルム袋
２　プラスチックフイルム袋
２０　外面
２１　口部
３　袋口結束用テープ
３０　テープ本体
３１　裏面
３２　部分接着層
３３　表面
３４　記入欄
４　袋口結束用テープ
４１　中芯
４２　カッター
【図１】
2004067111.tif 000003
【図２】
2004067111.tif 000004
【図３】
2004067111.tif 000005
【図４】
2004067111.tif 000006
【図５】
2004067111.tif 000007
【図６】
2004067111.tif 000008
【図７】
2004067111.tif 000009
【図８】
2004067111.tif 000010
【図９】
2004067111.tif 000011
【図１０】
2004067111.tif 000012
【図１１】
2004067111.tif 000013